(57)【要約】【課題】電源電圧の低電圧化を図りつつ、抵抗値などのパラメータの測定範囲の縮小を回避する。【解決手段】電圧測定モードのときには電池電圧Ｖｃｃの中間電圧である第１中間電圧Ｖｆ１（＝Ｖｃｃ／２）を生成して共通端子４に出力し、抵抗測定モードのときには第１中間電圧Ｖｆ１よりも低い電圧の第２中間電圧Ｖｆ２を生成して共通端子４に出力する中間電圧生成部６と、抵抗測定モードのときには電圧測定端子２に接続されて電圧測定端子２および共通端子４間に接続された測定対象体２１に直流定電流Ｉ１を供給する定電流供給部７と、電圧測定モードのときには電圧測定端子２および共通端子４間の端子間電圧を測定対象電圧Ｖとして測定し、抵抗測定モードのときには端子間電圧の電圧値および直流定電流Ｉ１の電流値に基づいて抵抗値Ｒｏｂを算出する処理部１４とを備えている。【選択図】図１
2012173158.tif 000002
【特許請求の範囲】
【請求項１】
電源から供給される電源電圧で作動して、電圧測定のときには電圧測定端子および共通端子間に入力される測定対象電圧の電圧値を測定し、抵抗体、コンデンサおよびダイオードのうちのいずれか１つを測定対象体として抵抗値、静電容量値および順方向電圧値のうちの１つのパラメータを測定するパラメータ測定のときにはパラメータ測定端子および前記共通端子間に接続される前記測定対象体に直流電流を供給して前記パラメータを測定する測定装置であって、
前記電圧測定のときには前記電源電圧の中間電圧である第１中間電圧を生成して前記共通端子に出力し、前記パラメータ測定のときには、前記第１中間電圧よりも低い電圧の第２中間電圧を生成して前記共通端子に出力する中間電圧生成部と、
前記パラメータ測定のときに、前記パラメータ測定端子を介して前記測定対象体に前記直流電流をソース電流として供給する電流供給部と、
前記電圧測定のときには前記電圧測定端子および前記共通端子間の端子間電圧を前記測定対象電圧として測定し、前記パラメータ測定のときには前記パラメータ測定端子および前記共通端子間の端子間電圧の電圧値と前記直流電流の電流値とに基づいて前記パラメータを測定する処理部とを備えている測定装置。
【請求項２】
電源から供給される電源電圧で作動して、電圧測定のときには電圧測定端子および共通端子間に入力される測定対象電圧の電圧値を測定し、抵抗体、コンデンサおよびダイオードのうちのいずれか１つを測定対象体として抵抗値、静電容量値および順方向電圧値のうちの１つのパラメータを測定するパラメータ測定のときにはパラメータ測定端子および前記共通端子間に接続される前記測定対象体に直流電流を供給して前記パラメータを測定する測定装置であって、
前記電圧測定のときには前記電源電圧の中間電圧である第１中間電圧を生成して前記共通端子に出力し、前記パラメータ測定のときには、前記第１中間電圧よりも高い電圧の第２中間電圧を生成して前記共通端子に出力する中間電圧生成部と、
前記パラメータ測定のときに、前記パラメータ測定端子を介して前記測定対象体に前記直流電流をシンク電流として供給する電流供給部と、
前記電圧測定のときには前記電圧測定端子および前記共通端子間の端子間電圧を前記測定対象電圧として測定し、前記パラメータ測定のときには前記パラメータ測定端子および前記共通端子間の端子間電圧の電圧値と前記直流電流の電流値とに基づいて前記パラメータを測定する処理部とを備えている測定装置。
【発明の詳細な説明】
【技術分野】
【０００１】
本発明は、電池などの電源から供給される電源電圧で作動して、入力される測定対象電圧、および接続される測定対象体についての抵抗値などのパラメータを測定対象体に直流電流を供給して測定する測定装置に関するものである。
【背景技術】
【０００２】
この種の測定装置に類似する測定装置として、下記特許文献１に開示された電圧電流測定器が知られている。この電圧電流測定器は、ハンディタイプのデジタル電圧電流測定器であって、絶縁性材料で成形された筐体と、液晶表示器等から成るデジタル表示部と、測定に関する機能等を選択するための複数の押しボタンと、動作モードを選択するためのダイヤル式モード切替スイッチと、測定プローブが接続される電圧測定端子と、電流測定端子と、共通端子（ＣＯＭ）とを備えている。また、電流測定端子と共通端子との間に電流検出用抵抗器（抵抗値は既知）が接続されている。
【０００３】
また、機器内部に配設された電気回路（Ａ／Ｄ変換回路（ＡＤＣ）、マイクロプロセッサおよび表示部など）は、機器内に配設された電池から電池電圧（直流電圧）の供給を受けて作動する。この場合、Ａ／Ｄ変換回路は、電池電圧の供給を受けつつ、共通端子を基準として電圧測定端子に入力される直流電圧や交流電圧をデジタル値に変換して出力可能に構成されている必要がある。このため、この電圧電流測定器では、電池電圧に基づいて、Ａ／Ｄ変換回路のアナログ入力電圧範囲の１／２の電位（通常は、電池電圧の１／２の電圧（中間電圧））をフローティング電位（電圧）として生成して、共通端子に供給（印加）すると共に、Ａ／Ｄ変換回路に基準電圧として供給する構成を採用している。
【０００４】
以上のように構成された電圧電流測定器では、電圧測定を行う場合には、電圧測定端子および共通端子に２本の測定プローブを接続すると共にモード切替スイッチを電圧測定モードに切り替えることで、両測定プローブを介して測定する電圧を入力する。入力した電圧はＡ／Ｄ変換回路に供給され、Ａ／Ｄ変換回路がこの電圧をデジタル値に変換してマイクロプロセッサに送る。マクロプロセッサは、電圧測定時には、入力したデジタル値を電圧測定値として表示部に表示させる。
【０００５】
また、この電圧電流測定器では、電流測定を行う場合には、電流測定端子および共通端子に２本の測定プローブを接続すると共にモード切替スイッチを電流測定モードに切り換えた状態で、測定する電流の経路に配設される。これにより、この電流の経路中に電流測定端子および共通端子を介して電流検出用抵抗器が接続されるため、電流が電流検出用抵抗器に流れることに起因して電流検出用抵抗器に発生する両端電圧が、Ａ／Ｄ変換回路に供給される。Ａ／Ｄ変換回路は、この両端電圧をデジタル値に変換してマイクロプロセッサに送る。マクロプロセッサは、電流測定時には、入力したデジタル値と電流検出用抵抗器の抵抗値（既知）とに基づいて電流値を算出して、表示部に表示させる。
【０００６】
また、この電圧電流測定器では、単独では測定対象体の抵抗値測定を行うことはできないが、以下のようにすることで、この抵抗値を測定することも可能である。例えば、直流定電流源を別途用意して直流定電流を測定対象体に供給し、この状態において測定対象体に発生する電圧（両端電圧）を電圧電流測定器で測定すると共に、測定した電圧の電圧値を定電流の電流値で除算することにより、測定対象体の抵抗値を測定する。
【先行技術文献】
【特許文献】
【０００７】
【特許文献１】特開平８−５６７５号公報（第２−３頁、第１図）
【発明の概要】
【発明が解決しようとする課題】
【０００８】
ところで、装置単体で、電圧測定や電流測定と共に抵抗測定も実行し得るハンディタイプの測定装置も開発されており、この測定装置は、例えば、上記した電圧電流測定器内に、電池からの電池電圧で作動して直流定電流を生成する定電流回路（直流定電流回路）を配設し、電圧測定モードおよび電流測定モードのときには、定電流回路を電圧測定端子、電流測定端子および共通端子のいずれからも切り離し、抵抗測定モードのときにのみ、定電流回路を電圧測定端子に接続する構成となっている。
【０００９】
この構成の測定装置では、抵抗測定モードのときには、定電流回路から出力された直流定電流は、電圧測定端子、測定対象体および共通端子を経由してフローティング電位に流れる構成となる。また、抵抗測定に際して十分な測定精度を常に確保するには、常に規定以上の電流値の直流定電流を測定対象体に供給する必要があるが、この測定装置では、定電流回路から出力する直流定電流の電流値は、電池電圧と共通端子の電位（フローティング電位）との電位差によって制限される。このため、低い電池電圧では、この電位差も小さくなることから、測定対象体の抵抗値の測定範囲が狭まる（縮小する）ことになる。つまり、測定対象体の抵抗値が大きいときには、この測定範囲を超えるため、抵抗値の測定が困難となる。したがって、旧来の測定装置の多くでは、多数の電池を直列に接続したり、また起電圧の高い電池を使用したりして、電池から高い電池電圧（例えば６Ｖ以上）を出力する構成として、測定対象体の抵抗値の測定範囲を広げるようにしていた。
【００１０】
一方、近年では、Ａ／Ｄコンバータやマイクロプロセッサなどの電子デバイスの低電圧化が進み、これらの電子デバイスを作動させるのに必要な電池電圧の低電圧化が可能になると共に、測定装置のさらなる小型化・軽量化の要請もあることから、より低い電池電圧（より数の少ない電池）で動作可能な測定装置が望まれている。しかしながら、上記したように、電池電圧の低下、すなわち電源電圧の低下は、抵抗測定モードにおける電圧測定端子と共通端子との間の電位差の低下を引き起こすため、測定対象体の抵抗値の測定範囲を狭めるという課題が発生する。
【００１１】
本発明は、かかる課題を解決すべくなされたものであり、電源電圧の低電圧化を図りつつ、抵抗値などの測定対象体のパラメータの測定範囲の縮小を回避し得る測定装置を提供することを主目的とする。
【課題を解決するための手段】
【００１２】
上記目的を達成すべく請求項１記載の測定装置は、電源から供給される電源電圧で作動して、電圧測定のときには電圧測定端子および共通端子間に入力される測定対象電圧の電圧値を測定し、抵抗体、コンデンサおよびダイオードのうちのいずれか１つを測定対象体として抵抗値、静電容量値および順方向電圧値のうちの１つのパラメータを測定するパラメータ測定のときにはパラメータ測定端子および前記共通端子間に接続される前記測定対象体に直流電流を供給して前記パラメータを測定する測定装置であって、前記電圧測定のときには前記電源電圧の中間電圧である第１中間電圧を生成して前記共通端子に出力し、前記パラメータ測定のときには、前記第１中間電圧よりも低い電圧の第２中間電圧を生成して前記共通端子に出力する中間電圧生成部と、前記パラメータ測定のときに、前記パラメータ測定端子を介して前記測定対象体に前記直流電流をソース電流として供給する電流供給部と、前記電圧測定のときには前記電圧測定端子および前記共通端子間の端子間電圧を前記測定対象電圧として測定し、前記パラメータ測定のときには前記パラメータ測定端子および前記共通端子間の端子間電圧の電圧値と前記直流電流の電流値とに基づいて前記パラメータを測定する処理部とを備えている。
【００１３】
また、請求項２記載の測定装置は、電源から供給される電源電圧で作動して、電圧測定のときには電圧測定端子および共通端子間に入力される測定対象電圧の電圧値を測定し、抵抗体、コンデンサおよびダイオードのうちのいずれか１つを測定対象体として抵抗値、静電容量値および順方向電圧値のうちの１つのパラメータを測定するパラメータ測定のときにはパラメータ測定端子および前記共通端子間に接続される前記測定対象体に直流電流を供給して前記パラメータを測定する測定装置であって、前記電圧測定のときには前記電源電圧の中間電圧である第１中間電圧を生成して前記共通端子に出力し、前記パラメータ測定のときには、前記第１中間電圧よりも高い電圧の第２中間電圧を生成して前記共通端子に出力する中間電圧生成部と、前記パラメータ測定のときに、前記パラメータ測定端子を介して前記測定対象体に前記直流電流をシンク電流として供給する電流供給部と、前記電圧測定のときには前記電圧測定端子および前記共通端子間の端子間電圧を前記測定対象電圧として測定し、前記パラメータ測定のときには前記パラメータ測定端子および前記共通端子間の端子間電圧の電圧値と前記直流電流の電流値とに基づいて前記パラメータを測定する処理部とを備えている。
【発明の効果】
【００１４】
請求項１記載の測定装置では、電圧測定のときには、共通端子に対して第１中間電圧を出力し、抵抗測定のときには、共通端子に対して第１中間電圧よりも低い電圧の第２中間電圧を出力する。したがって、この測定装置によれば、電源電圧を低電圧化した場合においても、パラメータ測定のときの例えば増幅部やＡ／Ｄ変換部などにおける正電圧側の入力電圧範囲を拡大することができるため、同一の電流値の直流電流を測定対象体に電流供給部からソース電流として供給するという条件下において、従来の測定装置よりも、測定対象体が抵抗体のときには、より大きな抵抗値の測定対象体を測定することができ（つまり、測定し得る測定対象体の抵抗値の上限（測定範囲の上限）を高めることができ）、測定対象体がコンデンサのときには、静電容量値の測定精度を高めることができ、測定対象体がダイオードのときには、順方向電圧の大きなダイオード（白色ＬＥＤなど）の順方向電圧の測定をすることができる。
【００１５】
請求項２記載の測定装置では、電圧測定のときには、共通端子に対して第１中間電圧を出力し、抵抗測定のときには、共通端子に対して第１中間電圧よりも高い電圧の第２中間電圧を出力する。したがって、この測定装置によれば、電源電圧を低電圧化した場合においても、パラメータ測定のときの例えば増幅部やＡ／Ｄ変換部などにおける負電圧側の入力電圧範囲を拡大することができるため、同一の電流値の直流電流を測定対象体に電流供給部からシンク電流として供給するという条件下において、従来の測定装置よりも、測定対象体が抵抗体のときには、より大きな抵抗値の測定対象体を測定することができ（つまり、測定し得る測定対象体の抵抗値の上限（測定範囲の上限）を高めることができ）、測定対象体がコンデンサのときには、静電容量値の測定精度を高めることができ、測定対象体がダイオードのときには、順方向電圧の大きなダイオード（白色ＬＥＤなど）の順方向電圧の測定をすることができる。
【図面の簡単な説明】
【００１６】
【図１】測定装置１の構成図である。
【図２】測定装置１Ａの構成図である。
【発明を実施するための形態】
【００１７】
以下、添付図面を参照して、測定装置の実施の形態について説明する。なお、測定対象体のパラメータとして、抵抗体の抵抗値を測定する例を挙げて説明する。また、このパラメータの測定に際して測定対象体を接続するパラメータ測定端子を、電圧測定端子と兼用する例を挙げて説明する。また、電源として電池を使用する例を挙げて説明する。
【００１８】
測定装置１は、図１に示すように、電圧測定端子（パラメータ測定端子を兼用する）２、電流測定端子３、共通端子４、電池５、中間電圧生成部６、定電流供給部７、第１スイッチ８、電流検出抵抗９、第２スイッチ１０、差動増幅部１１、Ａ／Ｄ変換部１２、操作部１３、処理部１４および表示部１５を備えている。この測定装置１は、電源としての電池５から供給される電池電圧Ｖｃｃを電源電圧（作動電圧）として作動して、電圧測定モードのときには電圧測定端子２および共通端子４間に入力される測定対象電圧Ｖの電圧値Ｖｏｂを測定し、電流測定モードのときには電流測定端子３および共通端子４間に入力される測定対象電流Ｉの電流値Ｉｏｂを測定し、抵抗測定モード（パラメータ測定モード）のときには電圧測定端子２および共通端子４間に接続される測定対象体（本例では抵抗体）２１の抵抗値Ｒｏｂを測定する。
【００１９】
電圧測定端子２、電流測定端子３および共通端子４は、不図示の測定プローブを接続可能に構成されている。電池５は、測定装置１内に、一例として交換可能に内蔵されている。本例では、一例として、電池５は、２つの乾電池が直列に接続されて構成されて、約３Ｖの電池電圧Ｖｃｃを出力する。
【００２０】
中間電圧生成部６は、電池電圧Ｖｃｃに基づいて、電池電圧Ｖｃｃの中間電圧（Ｖｃｃ／２）である第１中間電圧Ｖｆ１（＝Ｖｃｃ／２）、および第１中間電圧Ｖｆ１よりも低い電圧の第２中間電圧Ｖｆ２のうちの処理部１４から出力される制御信号Ｓ１によって選択された一方の電圧をフローティング電圧Ｖｆとして生成して共通端子４に出力する。本例では一例として、中間電圧生成部６は、分圧回路６ａおよびバッファ回路６ｂを備えている。分圧回路６ａは、一例としてスイッチを切り替えることによって分圧比を変更可能な抵抗回路で構成されて、電池電圧Ｖｃｃを分圧して、電圧Ｖｆ１および電圧Ｖｆ２のうちの一方の電圧を生成する。バッファ回路６ｂは、電池電圧Ｖｃｃで作動して、分圧回路６ａから出力される電圧（電圧Ｖｆ１または電圧Ｖｆ２）を入力すると共に、１倍の増幅率で増幅してフローティング電圧Ｖｆとして出力する。本例では、電池電圧Ｖｃｃは、上記したように約３Ｖであるため、中間電圧生成部６は、第１中間電圧Ｖｆ１としてその半分の１．５Ｖを出力し、第２中間電圧Ｖｆ２として第１中間電圧Ｖｆ１よりも１Ｖ低い、０．５Ｖを出力するものとする。
【００２１】
定電流供給部７は、電流供給部の一例であって、電池電圧Ｖｃｃで作動すると共に処理部１４によって制御されて、予め規定された電流値の直流定電流Ｉ１を生成してソース電流として出力する。定電流供給部７から出力された直流定電流Ｉ１は、第１スイッチ８を介して電圧測定端子２に出力される。なお、定電流供給部７は、予め規定された複数の抵抗測定レンジに対応して、複数の電流値の直流定電流Ｉ１を生成するが、本例では、発明の理解を容易にするため、１つの測定レンジの場合について説明する。第１スイッチ８は、オン・オフスイッチで構成されると共に処理部１４によって制御されて、定電流供給部７と電圧測定端子２とを、接続状態および非接続状態（切り離し状態）のいずれか一方に移行させる。
【００２２】
電流検出抵抗９は、予め規定された抵抗値に規定されて、電流測定端子３と共通端子４との間に接続されている。第２スイッチ１０は、一例として、１回路２接点のスイッチで構成されて、電圧測定端子２および電流測定端子３と、差動増幅部１１における一方の入力端子との間に配設されている。また、第２スイッチ１０は、処理部１４によって制御されて、電圧測定端子２および電流測定端子３のうちのいずれか一方を差動増幅部１１の一方の入力端子に選択的に接続する。
【００２３】
差動増幅部１１は、増幅部の一例であって、電池電圧Ｖｃｃで作動する。また、差動増幅部１１は、他方の入力端子が共通端子４に接続されることにより、第２スイッチ１０によって電圧測定端子２が一方の入力端子に接続されたときには、電圧測定端子２および共通端子４間に入力される電圧（電圧測定端子２および共通端子４間の端子間電圧）を入力電圧Ｖ１として入力すると共に増幅して、増幅電圧Ｖ２として出力する。一方、差動増幅部１１は、第２スイッチ１０によって電流測定端子３が一方の入力端子に接続されたときには、電流測定端子３と共通端子４との間に接続された電流検出抵抗９の両端間に発生する両端電圧（電流測定端子３および共通端子４間の端子間電圧）を入力電圧Ｖ１として入力すると共に増幅して、増幅電圧Ｖ２として出力する。
【００２４】
Ａ／Ｄ変換部１２は、電池電圧Ｖｃｃで作動して、入力した増幅電圧Ｖ２をデジタルデータＤｖ（増幅電圧Ｖ２の瞬時値を示すデータ）に変換して出力する。操作部１３は、一例としてロータリースイッチおよびコード生成回路（いずれも図示せず）を備えると共に電池電圧Ｖｃｃで作動して、ロータリースイッチの操作によって選択された電圧測定モード、抵抗測定モードおよび電流測定モードのうちの１つの測定モードを示すモードデータＤｍを処理部１４に出力する。
【００２５】
処理部１４は、一例として、電池電圧Ｖｃｃで作動するＣＰＵおよびメモリ（いずれも図示せず）を備え、操作部１３から出力されるモードデータＤｍで示される測定モードに応じて、中間電圧生成部６、定電流供給部７、第１スイッチ８および第２スイッチ１０に対する制御処理、およびＡ／Ｄ変換部１２からのデジタルデータＤｖに基づく測定処理を実行する。一例として、処理部１４は、中間電圧生成部６に対しては、制御信号Ｓ１を出力することにより、第１中間電圧Ｖｆ１および第２中間電圧Ｖｆ２のうちのいずれか一方をフローティング電圧Ｖｆとして出力させる。また、処理部１４は、測定処理において算出した測定値Ｄｄを表示部１５に表示させる表示処理を実行する。表示部１５は、電池電圧Ｖｃｃで作動する表示装置（一例としてＬＣＤ）で構成されて、測定値Ｄｄを画面上に表示する。
【００２６】
次に、測定装置１の動作について、図１を参照して説明する。
【００２７】
まず、操作部１３のロータリースイッチが操作されて、電圧測定モードが選択された場合の測定装置１の動作について説明する。なお、この電圧測定モードでは、電圧測定端子２および共通端子４に測定プローブ（不図示）がそれぞれ接続されているものとする。
【００２８】
測定装置１では、電圧測定モードが選択されると、操作部１３が、電圧測定モードを示すモードデータＤｍを処理部１４に出力する。処理部１４は、このモードデータＤｍを入力したときには、まず、制御処理を実行する。
【００２９】
この制御処理では、処理部１４は、第１スイッチ８に対する制御を実行して、第１スイッチ８をオフ状態に移行させることにより、電圧測定端子２と定電流供給部７とを切り離す。また、処理部１４は、第２スイッチ１０に対する制御を実行して、差動増幅部１１の一方の入力端子に電圧測定端子２を接続する。また、処理部１４は、中間電圧生成部６に対する制御を実行して、第１中間電圧Ｖｆ１をフローティング電圧Ｖｆとして出力させる。これにより、制御処理が完了する。
【００３０】
次いで、処理部１４は、測定処理を開始する。この状態において、両測定プローブ間に測定対象電圧Ｖが入力されると、差動増幅部１１は、電圧測定端子２および第２スイッチ１０と、共通端子４とを介してこの測定対象電圧Ｖを入力電圧Ｖ１として入力すると共に増幅して、増幅電圧Ｖ２として出力する。この測定対象電圧Ｖが直流電圧のときには、差動増幅部１１における一方の入力端子の電位は、フローティング電圧Ｖｆが印加（供給）されている他方の入力端子の電位（共通端子４の電位）に対して常に正電圧側において変動する。一方、この測定対象電圧Ｖが交流電圧のときには、差動増幅部１１における一方の入力端子の電位は、フローティング電圧Ｖｆが印加（供給）されている他方の入力端子の電位（共通端子４の電位）を基準として、正電圧側（フローティング電圧Ｖｆよりも高電圧側）および負電圧側（フローティング電圧Ｖｆよりも低電圧側）において同じ電圧幅で変動する。
【００３１】
本例の電圧測定モードでは、上記したようにフローティング電圧Ｖｆが電池電圧Ｖｃｃ（３Ｖ）の１／２の電圧（１．５Ｖ）に規定されているため、差動増幅部１１での正電圧側および負電圧側の各入力電圧範囲が同一となるように規定されている。これにより、差動増幅部１１は、測定対象電圧Ｖが直流電圧のときには、正電圧側の入力電圧範囲内である限りにおいて、測定対象電圧Ｖを歪ませることなく増幅して増幅電圧Ｖ２として出力する。また、差動増幅部１１は、測定対象電圧Ｖが交流電圧のときには、この測定対象電圧Ｖに対する入力電圧範囲を最大にした状態で、測定対象電圧Ｖを歪ませることなく増幅して増幅電圧Ｖ２として出力する。
【００３２】
Ａ／Ｄ変換部１２は、この増幅電圧Ｖ２をデジタルデータＤｖに変換して処理部１４に出力する。測定処理を開始している処理部１４は、このデジタルデータＤｖを所定の周期で入力すると共に、デジタルデータＤｖを入力する都度、このデジタルデータＤｖに基づいて測定対象電圧Ｖの電圧値Ｖｏｂ（電圧測定端子２および共通端子４間の端子間電圧）を算出する。また、処理部１４は、電圧値Ｖｏｂを算出する都度、表示処理を実行して、算出した電圧値Ｖｏｂを表示部１５に測定値Ｄｄとして更新しつつ表示させる。これにより、測定対象電圧Ｖの電圧値Ｖｏｂが表示部１５に測定値Ｄｄとして表示されるため、測定装置１を使用した測定対象電圧Ｖの測定が可能となる。
【００３３】
次に、操作部１３のロータリースイッチが操作されて、電流測定モードが選択された場合の測定装置１の動作について説明する。なお、この電流測定モードでは、電流測定端子３および共通端子４に測定プローブ（不図示）がそれぞれ接続されているものとする。
【００３４】
測定装置１では、電流測定モードが選択されると、操作部１３が、電流測定モードを示すモードデータＤｍを処理部１４に出力する。処理部１４は、このモードデータＤｍを入力したときには、まず、制御処理を実行する。
【００３５】
この制御処理では、処理部１４は、第２スイッチ１０に対する制御を実行して、差動増幅部１１の一方の入力端子に電流測定端子３を接続するという制御を除く他の制御については、上記した電圧測定モードの制御処理と同様の制御を各構成要素に対して実行する。
【００３６】
次いで、処理部１４は、測定処理を開始する。この状態において、測定装置１が、両測定プローブを介して、測定対象電流Ｉの電流経路に接続されたときには、電流測定端子３および共通端子４間に接続された電流検出抵抗９に測定対象電流Ｉが流れることにより、電流検出抵抗９の両端間に両端電圧（電流測定端子３および共通端子４間の端子間電圧でもある）が発生する。差動増幅部１１は、この両端電圧を入力電圧Ｖ１として入力すると共に増幅して、増幅電圧Ｖ２として出力する。この場合、フローティング電圧Ｖｆとしての第１中間電圧Ｖｆ１が共通端子４に供給されているため、測定対象電流Ｉが交流電流のときであっても、差動増幅部１１は、上記した測定対象電圧Ｖが交流電圧であるときと同様にして、交流の両端電圧を、歪ませることなく増幅して増幅電圧Ｖ２として出力する。
【００３７】
Ａ／Ｄ変換部１２は、この増幅電圧Ｖ２をデジタルデータＤｖに変換して処理部１４に出力する。測定処理を開始している処理部１４は、このデジタルデータＤｖを所定の周期で入力すると共に、デジタルデータＤｖを入力する都度、このデジタルデータＤｖおよび電流検出抵抗９の抵抗値（既知）に基づいて測定対象電流Ｉの電流値Ｉｏｂを算出する。また、処理部１４は、電流値Ｉｏｂを算出する都度、表示処理を実行して、算出した電流値Ｉｏｂを表示部１５に測定値Ｄｄとして更新しつつ表示させる。これにより、測定対象電流Ｉの電流値Ｉｏｂが表示部１５に測定値Ｄｄとして表示されるため、測定装置１を使用した測定対象電流Ｉの測定が可能となる。
【００３８】
次に、操作部１３のロータリースイッチが操作されて、抵抗測定モードが選択された場合の測定装置１の動作について説明する。なお、この抵抗測定モードでは、電圧測定端子２および共通端子４に測定プローブ（不図示）がそれぞれ接続されているものとする。
【００３９】
測定装置１では、抵抗測定モードが選択されると、操作部１３が、抵抗測定モードを示すモードデータＤｍを処理部１４に出力する。処理部１４は、このモードデータＤｍを入力したときには、まず、制御処理を実行する。
【００４０】
この制御処理では、処理部１４は、第１スイッチ８に対する制御を実行して、第１スイッチ８をオン状態に移行させることにより、電圧測定端子２と定電流供給部７とを接続する。また、処理部１４は、第２スイッチ１０に対する制御を実行して、差動増幅部１１の一方の入力端子に電圧測定端子２を接続する。また、処理部１４は、中間電圧生成部６に対する制御を実行して、中間電圧生成部６内のスイッチをオン状態に移行させることで、第２中間電圧Ｖｆ２をフローティング電圧Ｖｆとして出力させる。また、処理部１４は、定電流供給部７に対する制御を実行して、直流定電流Ｉ１を生成して出力可能な状態に移行させる。これにより、制御処理が完了する。
【００４１】
次いで、処理部１４は、測定処理を開始する。この状態において、両測定プローブ間に測定対象体２１が接続されると、定電流供給部７から、第１スイッチ８、電圧測定端子２、測定対象体２１および共通端子４を介して第２中間電圧Ｖｆ２に至る電流経路が形成される。これにより、定電流供給部７によるこの電流経路への直流定電流Ｉ１の出力（供給）が開始されるため、測定対象体２１の両端間、すなわち電圧測定端子２および共通端子４間に、測定対象体２１の抵抗値Ｒｏｂに直流定電流Ｉ１の電流値を乗算して得られる電圧が発生する。
【００４２】
本例では、第１中間電圧Ｖｆ１（本例では１．５Ｖ）よりも低い第２中間電圧Ｖｆ２（本例では０．５Ｖ）がフローティング電圧Ｖｆとして共通端子４に印加されていることから、第１中間電圧Ｖｆ１をフローティング電圧Ｖｆとして共通端子４に印加する従来の構成と比較して、差動増幅部１１における正電圧側の入力電圧範囲が拡大されている（本例では、１Ｖだけ拡大されている）。したがって、この測定装置１では、同一の電流値の直流定電流Ｉ１を測定対象体２１に供給するという条件の下で、従来の測定装置よりも、より大きな抵抗値の測定対象体２１を測定可能となっている。
【００４３】
差動増幅部１１は、この電圧測定端子２および共通端子４間に発生する端子間電圧を入力電圧Ｖ１として入力すると共に増幅して、増幅電圧Ｖ２として出力する。Ａ／Ｄ変換部１２は、この増幅電圧Ｖ２をデジタルデータＤｖに変換して処理部１４に出力する。
【００４４】
測定処理を開始している処理部１４は、このデジタルデータＤｖを所定の周期で入力すると共に、デジタルデータＤｖを入力する都度、このデジタルデータＤｖおよび直流定電流Ｉ１の電流値（既知）に基づいて測定対象体２１の抵抗値Ｒｏｂを算出する。また、処理部１４は、抵抗値Ｒｏｂを算出する都度、表示処理を実行して、算出した抵抗値Ｒｏｂを表示部１５に測定値Ｄｄとして更新しつつ表示させる。これにより、測定対象体２１の抵抗値Ｒｏｂが表示部１５に測定値Ｄｄとして表示されるため、測定装置１を使用した測定対象体２１の抵抗測定が可能となる。
【００４５】
このように、この測定装置１では、電圧測定モードおよび電流測定モードのときには、共通端子４に対して第１中間電圧Ｖｆ１を出力（印加）し、抵抗測定モードのときには、共通端子４に対して第１中間電圧Ｖｆ１よりも低い電圧の第２中間電圧Ｖｆ２を出力（印加）する。
【００４６】
したがって、この測定装置１によれば、電源電圧としての電池電圧Ｖｃｃを低電圧化した場合においても、抵抗測定モードのときの差動増幅部１１における正電圧側の入力電圧範囲を拡大することができるため、同一の電流値の直流定電流Ｉ１を測定対象体２１に供給するという条件下において、従来の測定装置よりも、より大きな抵抗値Ｒｏｂの測定対象体２１を測定することができる（つまり、測定し得る測定対象体２１の抵抗値の上限（測定範囲の上限）を高めることができる）。
【００４７】
また、測定可能な測定対象体２１の抵抗値の上限を高めずに、従来の測定装置と同一とするときには、定電流供給部７から測定対象体２１に供給する直流定電流Ｉ１の電流値を大きくすることができるため、抵抗測定時のＳＮ比を向上させることができる結果、抵抗値の測定精度を向上させることができる。また、処理部１４において、入力したデジタルデータＤｖに対するフィルタリング処理を実行しているときには、このＳＮ比の向上に伴い、フィルタリング処理を簡易な処理で済ますことができ、これによってフィルタリング処理に要する時間を短縮することができる結果、抵抗値Ｒｏｂの測定時間を短縮することができる。
【００４８】
なお、上記の測定装置１では、処理部１４が、操作部１３から出力されるモードデータＤｍに基づいて制御処理を実行することにより、第１スイッチ８および第２スイッチ１０に対する切替、並びに中間電圧生成部６に対する各中間電圧Ｖｆ１，Ｖｆ２の切替を実行する構成を採用しているが、操作部１３が、ロータリースイッチの切替位置に基づいて、第１スイッチ８および第２スイッチ１０に対して、これらの状態を切り替えるための制御信号を出力すると共に、中間電圧生成部６に対して、各中間電圧Ｖｆ１，Ｖｆ２を切り替えるための制御信号を出力する構成を採用することもできる。
【００４９】
また、測定対象体２１としての抵抗体の抵抗値Ｒｏｂをパラメータとして測定する例について説明したが、測定対象体２１は抵抗体に限定されず、コンデンサおよびダイオードを測定対象体とすることもできる。この場合、コンデンサを測定対象体２１としたときには、処理部１４は、パラメータ測定モード（容量測定モード）において、コンデンサに直流定電流Ｉ１を供給したときの一定時間後の入力電圧Ｖ１の変化量を測定し、この電圧の変化量、この一定時間の時間長、および直流定電流Ｉ１の電流値に基づいて、コンデンサについてのパラメータである静電容量値を測定（算出）する。また、ダイオードを測定対象体２１としたときには、処理部１４は、パラメータ測定モード（順方向電圧測定モード）において、ダイオードに直流定電流Ｉ１を供給したときの順方向電圧（入力電圧Ｖ１）を測定する。このようにコンデンサやダイオードを測定対象体２１としたときにも、正電圧側の入力電圧範囲を拡大することができるため、コンデンサについては、電圧の変化量を大きくすることが可能となって、静電容量値の測定精度を高めることができ、ダイオードについては、順方向電圧の大きなダイオード（白色ＬＥＤなど）の順方向電圧の測定をすることができる。
【００５０】
また、上記の測定装置１では、電源として電池５を使用しているが、電圧値が一定の電圧を作動電圧として出力し得るものであれば、電池５に限定されず、種々の電源を使用することができる。
【００５１】
また、上記の測定装置１では、中間電圧生成部６が、第１中間電圧Ｖｆ１よりも低い第２中間電圧Ｖｆ２をフローティング電圧Ｖｆとして共通端子４に印加すると共に、定電流供給部７が、電圧測定端子２を介して測定対象体２１に直流定電流Ｉ１をソース電流として供給する（流し込む）構成を採用して、差動増幅部１１における正電圧側の入力電圧範囲を拡大しているが、この構成に代えて、中間電圧生成部６が、第１中間電圧Ｖｆ１よりも高い第２中間電圧Ｖｆ２をフローティング電圧Ｖｆとして共通端子４に印加すると共に、定電流供給部７が、電圧測定端子２を介して測定対象体２１に直流定電流Ｉ１をシンク電流として供給する（吸い出す。図１での矢印の向きと逆向きに直流定電流Ｉ１を流す）構成を採用することもできる。この構成では、差動増幅部１１における負電圧側の入力電圧範囲を拡大することができ、正電圧側の入力電圧範囲を拡大する上記の構成と同様にして、測定対象体２１が抵抗体のときには、より大きな抵抗値の測定を可能とし、コンデンサについては、静電容量値の測定精度を高めることを可能とし、ダイオードについては、順方向電圧の大きなダイオードの順方向電圧の測定を可能とすることができる。また、測定した電圧に基づいて、ダイオードの極性を測定することもできる。
【００５２】
また、上記の測定装置１では、電圧測定モード、電流測定モード、およびパラメータ測定モード（抵抗測定モードや容量測定モードや順方向電圧測定モード）の３つの測定モードから任意の１つを選択して測定し得る構成を採用しているが、電流測定モードを省いて（つまり、電流測定に必要な電流測定端子３および電流検出抵抗９を省いて）、電圧測定モードおよび抵抗測定モードの２つの測定モードのうちの任意の一方を選択して測定する構成とすることもできる。また、上記の測定装置１では、定電流供給部７を備え、抵抗測定モードにおいて測定対象体２１に測定レンジに対応した直流定電流Ｉ１を供給する構成を採用しているが、定電流供給部７に代えて、測定対象体２１に供給している直流電流の電流値をリアルタイムで測定して処理部１４に出力する電流供給部を使用する構成を採用することもできる。この構成においては、処理部１４は、デジタルデータＤｖおよび電流供給部において測定される直流電流の電流値に基づいて測定対象体２１の抵抗値Ｒｏｂを算出する。
【００５３】
また、上記の測定装置１では、電圧測定端子２がパラメータ測定端子を兼用する構成を採用しているが、図２に示す測定装置１Ａのように、パラメータ測定端子２Ａを電圧測定端子２と別個に備える構成を採用することもできる。この測定装置１Ａでは、定電流供給部７は、電圧測定端子２に代えて、パラメータ測定端子２Ａに接続される。また、このようにパラメータ測定端子２Ａを専用に設けたことにより、第１スイッチ８を省いた構成となっている。また、第２スイッチ１０Ａは、１回路３接点のスイッチで構成されて、パラメータ測定端子２Ａ、電圧測定端子２および電流測定端子３と、差動増幅部１１における一方の入力端子との間に配設されている。また、第２スイッチ１０Ａは、処理部１４によって制御されて、パラメータ測定端子２Ａ、電圧測定端子２および電流測定端子３のうちのいずれか１つを差動増幅部１１の一方の入力端子に選択的に接続する。なお、測定装置１と同一の構成については同一の符号を付して重複する説明を省略する。
【００５４】
この測定装置１Ａにおいても、上記したように作動する中間電圧生成部６および定電流供給部７を測定装置１と同様に備えたことにより、上記した測定装置１と同様の効果を奏することができる。
【符号の説明】
【００５５】
１，１Ａ  測定装置
２  電圧測定端子
２Ａ  パラメータ測定端子
３  電流測定端子
４  共通端子
５  電池
６  中間電圧生成部
７  定電流供給部
１１  差動増幅部
１２  Ａ／Ｄ変換部
１４  処理部
２１  測定対象体
Ｄｖ  デジタルデータ
Ｉ１  直流定電流
Ｒｏｂ  抵抗値
Ｖ１  入力電圧
Ｖ２  増幅電圧
Ｖｃｃ  電池電圧
Ｖｆ  フローティング電圧
Ｖｆ１  第１中間電圧
Ｖｆ２  第２中間電圧
【図１】
2012173158.tif 000003
【図２】
2012173158.tif 000004